(57)【要約】【課題】  立体的な表示となって、需要者に対する差別化した商品アピールを可能とし、購買意欲をそそることができる、商品見本の表示シートを提供する。【課題を解決するための手段】  表示シート１は、折り用ミシン目２を介して連接してなる前面シート３と後面シート４とからなり、前面シート３の表面側と後面シート４の裏面側には販売商品容器のデザインに倣ったデザイン表示の文字８ａ，８ｂや図柄８ｃを印刷し、前面シート３には、この前面シート３と後面シート４とを裏面側同士が対向するように折り用ミシン目２から折り重ねたときに、後面シート４に表示した図柄を視認するための透孔窓７を設ける。【選択図】    図１
2007026248.tif 000002
【特許請求の範囲】
【請求項１】
自動販売機に取り付ける枠状本体とこの枠状本体に着脱可能に装着する表示シートとからなる商品見本における前記表示シートであって、前記表示シートは、折り部を介して連接してなる前面シートと後面シートとからなり、前面シートの表面側と後面シートの裏面側には販売商品容器のデザインに倣ったデザイン表示や宣伝広告などの商品情報表示を印刷し、前記前面シートには、各シートの裏面側同士を対向するように前記折り部で折ったときに、前記後面シートの表示を視認するための視認用窓を設けたことを特徴とする自動販売機用商品見本の表示シート。
【請求項２】
視認用窓は、透孔窓または透明窓であることを特徴とする請求項１記載の自動販売機用商品見本の表示シート。
【請求項３】
視認用窓は透孔窓であって、前面シートと後面シートとを折り部で折り重ねたときに、前記後面シートの一部を透孔窓から突出させてそのデザイン表示や商品情報表示を視認可能にすることを特徴とする請求項１記載の自動販売機用商品見本の表示シート。
【発明の詳細な説明】
【技術分野】
【０００１】
本発明は、自動販売機に取り付ける枠状本体とこの枠状本体に着脱可能に装着する表示シートとからなる商品見本における前記表示シートに関する。
【背景技術】
【０００２】
この種の表示シートには、実際の商品に倣ったデザインが表示されているのが一般的である。
【特許文献１】登録実用新案第３０１１０９１号公報
【発明の開示】
【発明が解決しようとする課題】
【０００３】
このため、従来においては、商品見本の表示シートの表示が平板的で、需要者に対する差別化した商品アピールに欠け、購買意欲をそそることが困難である、という不都合を生じている。本発明は、このような不都合を解消した自動販売機用商品見本における表示シートを提供することを目的とする。
【課題を解決するための手段】
【０００４】
この目的を達成するため、本発明の請求項１に係る表示シートは、自動販売機に取り付ける枠状本体とこの枠状本体に着脱可能に装着する表示シートとからなる商品見本における前記表示シートであって、前記表示シートは、折り部を介して連接してなる前面シートと後面シートとからなり、前面シートの表面側と後面シートの裏面側には販売商品容器のデザインに倣ったデザイン表示や宣伝広告などの商品情報表示を印刷し、前記前面シートには、各シートの裏面側同士を対向するように前記折り部で折ったときに、前記後面シートのデザイン表示や商品情報表示を視認するための視認用窓を設けたものである。
【０００５】
また、同じく上述の目的を達成するため、本発明の請求項２に係る表示シートは、上記請求項１記載の構成において、視認用窓が、透孔窓または透明窓であることを特徴とする。
【０００６】
さらに、同じく上述の目的を達成するため、本発明の請求項３に係る表示シートは、請求項１記載の構成において、視認用窓は透孔窓であって、前面シートと後面シートとを折り部で折り重ねたときに、前記後面シートの一部を透孔窓から突出させてそのデザイン表示や商品情報表示を視認可能にすることを特徴とする。
【発明の効果】
【０００７】
本発明の請求項１に係る表示シートによれば、前面シートと後面シートとが前後に間隔をおいて立体的な状態で枠状本体に取り付けられるので、需要者に対する商品アピール度が向上し、購買意欲をそそるほか、立体的に表示するための特別な補助部材を別途用意する必要がないので、コストダウンが図れるとともに、枠状本体への取り付けも従来の表示シートと同一の作業で済むので簡便であるという効果を奏する。
【０００８】
本発明の請求項２に係る表示シートによれば、上記効果に加えて視認用窓として、透孔窓あるいは透明窓のいずれかを表示内容に応じて選択可能であるという効果を奏する。
【０００９】
本発明の請求項３に係る表示シートによれば、上記請求項１の効果に加えて、透孔窓から後面シートの表示部分が突出するので、立体感がより向上し、商品アピールもより強くなるという効果を奏する。
【発明を実施するための最良の形態】
【００１０】
以下、本発明の好適な実施形態を添付図面に基づいて説明する。ここにおいて、図１〜図５は本発明に係る表示シートの第１実施形態を示すもので、図１は表示シートの表面側を示す正面図、図２は裏面側を示す背面図、図３は折り状態を示す正面図、図４は同じく平面図、図５は枠状本体への取り付け状態を示す斜視図である。また、図６〜図９は本発明に係る表示シートの第２実施形態を示すもので、図６は表示シートの表面側を示す正面図、図７は裏面側を示す背面図、図８は折り状態を示す断面図、図９は枠状本体への取り付け状態を示す斜視図である。さらに、図１０〜図１２は本発明に係る表示シートの第３実施形態を示すもので、図１０は表示シートの表面側を示す正面図、図１１は裏面側を示す背面図、図１２は枠状本体への取り付け状態を示す斜視図である。
【００１１】
まず、図１〜図５に基づいて第１実施形態を説明する。図１及び図２に示すように、表示シート１は、折り部たる折り用ミシン目２を介して連接してなる四角形状の前面シート３とほぼ四角形状の後面シート４とからなり、後面シート４の方が折り用ミシン目２側を除いて、前面シート３よりも天地方向（上下方向）が短く形成され、また、幅方向（左右方向）も短く形成されている。前記前面シート３の前記折り用ミシン目２とは反対側端にはスリット状の係合孔５を設ける一方、前記後面シート４の前記折り用ミシン目２とは反対側端にはこの係合孔５に突入係止する係合片６を設けている。
【００１２】
また、前面シート３には、視認用窓として四角形状の透孔窓７を透設している。そして、この前面シート３の表面側と後面シート４の裏面側には、販売商品容器のデザインに倣ったデザイン表示である、「オレンジ」、「ジュース」の各文字８ａ，８ｂとオレンジの図柄８ｃを印刷してある。
【００１３】
本実施形態は以上のように構成したので、図３及び図４に示すように、後面シート４の裏面側を前面シート３の裏面側に折り用ミシン目２で折り重ねて、係合片６を係合孔５に突入係止すると、前記後面シート４に表示した図柄８ｃを透孔窓７から視認することができる。
【００１４】
また、この折り状態にあっては、後面シート４の幅が前面シート３の幅よりも短いので、図４に示すように、両シート３，４は、湾曲状になるとともに、完全に重なることはなく、間隔をおいて対向位置するため、各文字８ａ，８ｂ及び図柄８ｃの表示は立体的なものとなる。そして、図５に示すように、この折り重ね状態のまま、従来と同様にして、従来と同一構成の枠状本体９に、表示シート１を取り付けることができる。
【００１５】
続いて、図６〜図９に基づいて第２実施形態を説明する。図６及び図７に示すように、表示シート１１は、折り部たる折り用ミシン目１２を介して連接してなる四角形状の前面シート１５とほぼ四角形状の後面シート１６とからなり、後面シート１６は、折り用ミシン目１３を有する連接片１４を備えている。そして、後面シート１６の方が前面シート１５よりも、天地方向及び幅方向ともに短く形成されている。前記前面シート１５には、視認用窓として四角形状の透孔窓１７を透設している。そして、前面シート１５の表面側と後面シート１６の裏面側には、販売商品容器のデザインに倣ったデザイン表示である、「フレンチローストタイプ」の文字１８ａと、「カフェオレ」の文字１８ｂ及びコーヒーカップの図柄１８ｃを印刷してある。
【００１６】
本実施形態は以上のように構成したので、図８に示すように、後面シート１６の裏面側を、各折り用ミシン目１２，１３を折り曲げて、前面シート１５の裏面側に対向させると、前記各折り用ミシン目１２，１３の間隔と同一の間隔をおいて両シート１５，１６は対向位置し、前記後面シート１６に表示した文字１８ｂ及び図柄１８ｃを透孔窓１７から視認することができる。したがって、各文字１８ａ，１８ｂ及び図柄１８ｃの表示は、奥行きのある立体的なものとなる。
【００１７】
そして、図９に示すように、この折り状態のまま、前面シート１５において、従来と同様にして、従来と同一構成の枠状本体１９に、表示シート１を取り付けることができる。この取り付け状態においては、前記前面シート１５は湾曲状態となる一方、後面シート１６は平面状態のままなので、より立体感のあるものとなる。
【００１８】
続いて、図１０〜図１２に基づいて第３実施形態を説明する。図１０及び図１１に示すように、表示シート２１は、折り部たる折り用ミシン目２２を介して連接してなる四角形状の前面シート２３とほぼ四角形状の後面シート２４とからなり、後面シート２４の方が折り用ミシン目２２側を除いて、前面シート２３よりも、天地方向が短く形成され、また、幅方向も短く形成されている。
【００１９】
また、前面シート２３には、視認用窓として横長丸形の透孔窓２５を透設し、後面シート２４の折り用ミシン目２２側を除いた天地方向の長さは、前記透孔窓２５の天地方向の長さよりも短く形成されている。そして、この前面シート３の表面側と後面シート４の裏面側には、販売商品容器のデザインに倣ったデザイン表示である、「美味・健康」の文字２６ａと、「ウーロン茶」の文字２６ｂを印刷してある。
【００２０】
本実施形態は以上のように構成したので、後面シート２４の裏面側を折り用ミシン目２２で前面シート２３の裏面側に折り重ねて、後面シート２４を前面シート２３の透孔窓２５に突入係止すると、前記後面シート２４に表示した文字２６ｂが透孔窓２５から突出した部分に対応して視認することができる。このように、後面シート２４が透孔窓２５から突出して、前面シート２３と前後方向に交叉した状態となるので、各文字２６ａ，２６ｂの表示は立体的なものとなる（図１２参照）。そして、図１２に示すように、この折り状態のまま、従来と同様にして、従来と同一構成の枠状本体２７に、表示シート２１を取り付けることができる。
【００２１】
なお、本発明は上述した各実施形態に限定されるものではなく、例えば、第１及び第２実施形態における視認用窓は、透孔窓７，１７に替えて透明窓を採用することができる。また、透孔窓７，１７，２５の形状も四角形や横長丸形に限らない。さらに、後面シート４，１６，２４の形状はほぼ四角形状に特定されない。すなわち、前面シート３，１５，２３の形状に後面シート４，１６，２４の形状を合わせる必要はなく、また、前面シート３，１５，２３の形状も、枠状本体９，１９，２７の形状やその取付構造によって決定されるもので、四角形に限定されるものではない。さらにまた、表示シート１，１１，２１に、販売商品容器のデザインに倣ったデザイン表示８ａ，８ｂ，８ｃ，１８ａ，１８ｂ，１８ｃ，２６ａ，２６ｂに加えて、宣伝広告のような商品情報を表示してもよい。
【図面の簡単な説明】
【００２２】
【図１】第１実施形態における表示シートの正面図。
【図２】同じく背面図。
【図３】同じく折り状態を示す正面図。
【図４】同じく平面図。
【図５】同じく枠状本体への取り付け状態を示す斜視図。
【図６】第２実施形態における表示シートの正面図。
【図７】同じく背面図。
【図８】同じく折り状態を示す断面図。
【図９】同じく枠状本体への取り付け状態を示す斜視図。
【図１０】第３実施形態における表示シートの正面図。
【図１１】同じく背面図。
【図１２】同じく枠状本体への取り付け状態を示す斜視図。
【符号の説明】
【００２３】
１，１１，２１      表示シート
２，１２，１３，２２      折り用ミシン目
３，１５，２３      前面シート
４，１６，２４      後面シート
５      係合孔
６      係合片
７，１７，２５      透孔窓
８ａ，８ｂ，１８ａ，１８ｂ，２６ａ，２６ｂ      文字
８ｃ，１８ｃ      図柄
９，１９，２７      枠状本体
１４      連接片
【図１】
2007026248.tif 000003
【図２】
2007026248.tif 000004
【図３】
2007026248.tif 000005
【図４】
2007026248.tif 000006
【図５】
2007026248.tif 000007
【図６】
2007026248.tif 000008
【図７】
2007026248.tif 000009
【図８】
2007026248.tif 000010
【図９】
2007026248.tif 000011
【図１０】
2007026248.tif 000012
【図１１】
2007026248.tif 000013
【図１２】
2007026248.tif 000014